【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、負の屈折力の第３レンズ群、複数のレンズ群を含み、全体として正の屈折力の後群を有し、ズーミングに際して隣り合うレンズ群の間隔が変化するズームレンズにおいて、フォーカシングに際して前記第３レンズ群が移動し、広角端における全系の焦点距離をｆｗ、望遠端における全系の焦点距離をｆｔ、広角端における前記第１レンズ群と前記第２レンズ群の合成焦点距離をｆ１２ｗ、望遠端における第１レンズ群と前記第２レンズ群の合成焦点距離をｆ１２ｔとするとき、
３．７＜｜ｆ１２ｗ／ｆｗ｜
１．０＜｜ｆ１２ｔ／ｆｔ｜
なる条件式を満足することを特徴とするズームレンズ。
【請求項２】
前記第３レンズ群の焦点距離をｆ３とするとき、
０．１＜｜ｆ３／ｆｔ｜＜０．６
なる条件を満足することを特徴とする請求項１に記載のズームレンズ。
【請求項３】
前記第３レンズ群は、１枚のレンズ又は複数のレンズを接合した接合レンズより構成されることを特徴とする請求項１又は２に記載のズームレンズ。
【請求項４】
前記第３レンズ群は、非球面形状のレンズ面を含むことを特徴とする請求項１乃至３のいずれか１項に記載のズームレンズ。
【請求項５】
前記後群は、光軸に対して垂直方向の成分を持つ方向に移動して結像位置を光軸に対して垂直方向に移動させる負の屈折力のレンズ群を有することを特徴とする請求項１から４のいずれか１項に記載のズームレンズ。
【請求項６】
前記後群は、物体側から像側へ順に、正の屈折力の第４レンズ群、正の屈折力の第５レンズ群より構成され、
前記第４レンズ群の全体を光軸に対して垂直方向の成分を持つ方向に移動させることにより、結像位置を光軸に対して垂直方向に移動させることを特徴とする請求項１乃至４のいずれか１項に記載のズームレンズ。
【請求項７】
前記後群は、物体側から像側へ順に、正の屈折力の第４レンズ群、正の屈折力の第５レンズ群より構成され、
前記第４レンズ群の一部からなる、負の屈折力のサブレンズ群を光軸に対して垂直方向の成分を持つ方向に移動させることにより、結像位置を光軸に対して垂直方向に移動させることを特徴とする請求項１乃至４のいずれか１項に記載のズームレンズ。
【請求項８】
前記後群は、物体側から像側へ順に、正の屈折力の第４レンズ群、負の屈折力の第５レンズ群、正の屈折力の第６レンズ群より構成され、
前記第５レンズ群の全体を光軸に対して垂直方向の成分を持つ方向に移動させることにより、結像位置を光軸に対して垂直方向に移動させることを特徴とする請求項１乃至４のいずれか１項に記載のズームレンズ。
【請求項９】
前記後群は、物体側から像側へ順に、正の屈折力の第４レンズ群、負の屈折力の第５レンズ群、正の屈折力の第６レンズ群より構成され、
前記第５レンズ群の一部からなる、負の屈折力のサブレンズ群を光軸に対して垂直方向の成分を持つ方向に移動させることにより、結像位置を光軸に対して垂直方向に移動させることを特徴とする請求項１乃至４のいずれか１項に記載のズームレンズ。
【請求項１０】
撮像素子に像を形成することを特徴とする請求項１乃至９のいずれか１項に記載のズームレンズ。
【請求項１１】
請求項１乃至１０のいずれか１項に記載のズームレンズと、該ズームレンズによって形成される像を受光する撮像素子とを有することを特徴とする撮像装置。
【手続補正２】
【補正対象書類名】明細書
【補正対象項目名】００１３
【補正方法】変更
【補正の内容】
【００１３】
本発明のズームレンズは、物体側から像側へ順に、正の屈折力の第１レンズ群、負の屈折力の第２レンズ群、負の屈折力の第３レンズ群、複数のレンズ群を含み、全体として正の屈折力の後群を有し、ズーミングに際して隣り合うレンズ群の間隔が変化するズームレンズにおいて、フォーカシングに際して前記第３レンズ群が移動し、広角端における全系の焦点距離をｆｗ、望遠端における全系の焦点距離をｆｔ、広角端における前記第１レンズ群と前記第２レンズ群の合成焦点距離をｆ１２ｗ、望遠端における第１レンズ群と前記第２レンズ群の合成焦点距離をｆ１２ｔとするとき、
３．７＜｜ｆ１２ｗ／ｆｗ｜
１．０＜｜ｆ１２ｔ／ｆｔ｜
なる条件式を満足することを特徴としている。
【手続補正３】
【補正対象書類名】明細書
【補正対象項目名】００１６
【補正方法】変更
【補正の内容】
【００１６】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群、負の屈折力の第３レンズ群、複数のレンズ群を含み、全体として正の屈折力の後群を有している。ズーミングに際して、隣り合うレンズ群の間隔が変化する。フォーカシングに際して第３レンズ群が移動する。
【手続補正４】
【補正対象書類名】明細書
【補正対象項目名】００２０
【補正方法】変更
【補正の内容】
【００２０】
図１０は本発明のズームレンズを備えるカメラ（撮像装置）の要部概略図である。各実施例のズームレンズはビデオカメラやデジタルカメラ、そして銀塩フィルムカメラ等の撮像装置に用いられる撮影レンズ系である。レンズ断面図において、左方が物体側（前方）で、右方が像側（後方）である。レンズ断面図において、ｉは物体側からレンズ群の順番を示し、Ｌｉは第ｉレンズ群である。ＬＲは複数のレンズ群を含む全体として正の屈折力の後群である。後群ＬＲは光軸に対して垂直方向の成分を持つ方向に移動させて結像位置を光軸に対して垂直方向に移動させる負の屈折力のレンズ群（防振レンズ群）ＩＳを有する。
【手続補正５】
【補正対象書類名】明細書
【補正対象項目名】００２１
【補正方法】変更
【補正の内容】
【００２１】
図１、図７のレンズ断面図においてＬ１は正の屈折力の第１レンズ群、Ｌ２は負の屈折力の第２レンズ群、Ｌ３は負の屈折力の第３レンズ群、Ｌ４は正の屈折力の第４レンズ群、Ｌ５は正の屈折力の第５レンズ群である。ここで、屈折力とは光学的パワーのことであり、焦点距離の逆数である。後群ＬＲは第４レンズ群Ｌ４と第５レンズ群より構成されている。ＩＳは第４レンズ群Ｌ４の一部からなる負の屈折力の防振レンズ群である。
【手続補正６】
【補正対象書類名】明細書
【補正対象項目名】００２２
【補正方法】変更
【補正の内容】
【００２２】
図４のレンズ断面図においてＬ１は正の屈折力の第１レンズ群、Ｌ２は負の屈折力の第２レンズ群、Ｌ３は負の屈折力の第３レンズ群、Ｌ４は正の屈折力の第４レンズ群、Ｌ５は負の屈折力の第５レンズ群、Ｌ６は正の屈折力の第６レンズ群である。後群ＬＲは第４レンズ群Ｌ４乃至第６レンズ群Ｌ６より構成されている。ＩＳは第５レンズ群Ｌ５の一部からなる負の屈折力の防振レンズ群である。各レンズ断面図において、ＳＰは開口絞りであり、第４レンズ群Ｌ４の物体側に配置している。
【手続補正７】
【補正対象書類名】明細書
【補正対象項目名】００３４
【補正方法】変更
【補正の内容】
【００３４】
０．１２＜｜ｆ３／ｆｔ｜＜０．４０        ・・・（３ａ）
第３レンズ群Ｌ３は、１つのレンズ成分で構成するのが良い。ここで１つのレンズ成分とは１枚のレンズ又は複数のレンズを接合した接合レンズをいう。
【手続補正８】
【補正対象書類名】明細書
【補正対象項目名】００４０
【補正方法】変更
【補正の内容】
【００４０】
実施例１，３では第４レンズ群Ｌ４の全部又は一部からなる負の屈折力のサブレンズ群を光軸に対して垂直方向の成分を持つ方向に移動させて結像位置を光軸に対して垂直方向に移動させている。実施例２では第５レンズ群Ｌ５の全部又は一部からなる負の屈折力のサブレンズ群を光軸に対して垂直方向の成分を持つ方向に移動させて結像位置を光軸に対して垂直方向に移動させている。